(57)【要約】【課題】欄干の移動手摺挿通口に配置した保護筒体が変位したときに、移動手摺と挿通口の隙間が閉塞される乗客コンベヤーの移動手摺装置を得る。【解決手段】乗降口２で幼児が悪戯して移動手摺５と保護筒体７に指を差し入れると保護筒体７が下降変位する。これにより、検出器１３が作動して制御装置２４により異常時停止を指令して停止すると共に、保持装置による保持が解消されて閉塞体１９〜２１が変位して移動手摺５の外面に接する。このため、乗客コンベヤーの消勢後の慣性移動前に、移動手摺５外周面の隙間を閉塞体１９〜２１で閉塞する。したがって、移動手摺５と保護筒体７の間に指を差し入れた幼児が移動手摺５に触れたままでいるときに、指が閉塞体１９〜２１に当たり欄干１の挿通口６の奥深くに引き込まれる挟圧事故を未然に防ぐ。【選択図】　　　　図１
2004010244.tif 000002
【特許請求の範囲】
【請求項１】
乗客コンベヤーの欄干基部の挿通口に進入する移動手摺と、上記欄干基部外に装備されて常時は上昇位置に保持され上記移動手摺の外面を囲んで配置され、上記移動手摺との間に入り込む異物によって下降位置に変位する保護筒体と、上記欄干基部に設けられて上記保護筒体の下降変位によって作動する検出器と、上記欄干基部内に設けられて上記移動手摺外面を囲んで配置されて上記移動手摺外面方向に付勢された閉塞体と、常時は上記閉塞体を付勢力に抗して上記移動手摺外面から離れた位置に保持する保持装置と、上記検出器の作動によって上記乗客コンベヤーの異常時停止を指令すると共に上記保持装置の保持作用の解除を指令し、上記閉塞体を上記移動手摺外面に接する位置に変位させる制御装置とを備えた乗客コンベヤーの移動手摺装置。
【請求項２】
閉塞体を、柔軟材料で製作され、かつ移動手摺外面との対向縁部が丸く面取りされたものとしたことを特徴とする請求項１記載の乗客コンベヤーの移動手摺装置。
【請求項３】
閉塞体に装着されて、保護筒体の欄干基部の挿通口との対向面に配置された軟質スポンジ状材料製の緩衝片を備えたことを特徴とする請求項１記載の乗客コンベヤーの移動手摺装置。
【発明の詳細な説明】
【０００１】
【発明の属する技術分野】
この発明は、欄干の外周に沿って移動し欄干の長手端部において欄干基部内に進入する乗客コンベヤーの移動手摺装置に関する。
【０００２】
【従来の技術】
図６及び図７は、従来の乗客コンベヤーの移動手摺装置を示す図で、図６は乗客コンベヤーの乗降口を概念的に示す側面図、図７は図６のＡ部を拡大して示す縦断面図である。図において、１はエスカレーターからなる乗客コンベヤーの欄干、２は乗客コンベヤーの長手端部に形成された乗降口、３は欄干１の基部、４は基部３の端面、５は移動手摺で、欄干１の外周に沿って移動し欄干１基部３の端面４に設けられた挿通口６に進入する。
【０００３】
７はゴム等の粘弾性材料によって製作された保護筒体で、欄干１基部３の端面４に設けられて一側の長手端部が基部３外に突出して配置されて、他側の長手端部は挿通口６に嵌合して配置され常時は上昇位置に保持されて移動手摺５の外面を空隙を形成して移動手摺５を囲んで配置される。８は欄干１基部３内に配置された支持板で、上下方向の中間が欄干１基部３に軸９によって枢持されて上端側が保護筒体７の欄干１基部３内側の端面に装着されている。
【０００４】
１０は保持具で、保護筒体７の突出端側に配置されて、欄干１側に固定された固定片１１及び保護筒体７側に装着されて固定片１１にウーブンファスナー等により着脱自在に係合、すなわち係合された状態で所定以上の外力によって離脱する係合子１２によって構成されている。１３はスイッチからなる検出器であり、欄干１基部３内に装着されて作動部が支持板８の下端側と対面して配置されている。
【０００５】
従来の乗客コンベヤーの移動手摺装置は上記のように構成される。そして、乗客コンベヤーの乗降口２で遊んでいる幼児が悪戯して移動手摺５と保護筒体７に指を差し入れることがあり、このときに保持具１０の係合子１２が固定片１１から分離する。
【０００６】
これによって、保護筒体７の突出端側が下降し支持板８が図７において時計方向に回動する。そして、回動した支持板８によって検出器１３が押圧されて作動し、図示が省略してあるが検出器１３の作動によって制御装置の機能により乗客コンベヤーの運転が異常時制御されて停止するようになっている。
【０００７】
【発明が解決しようとする課題】
上記のような従来の乗客コンベヤーの移動手摺装置では、保護筒体７の変位によって検出器１３が押圧されることにより乗客コンベヤーの運転が異常時制御されて停止する。しかし、乗客コンベヤーの駆動機（図示しない）の消勢後に、なお乗客コンベヤーの踏段（図示しない）が２０〜３０ｃｍ移動する。
【０００８】
このため、移動手摺５も同様な距離を移動するので、移動手摺５と保護筒体７に指を差し入れた幼児が、移動手摺５に触れたままでいるときに指が基部３端面４の挿通口６の奥深くに引き込まれて挟圧される恐れがあるので、これを未然に防ぐ必要があった。
【０００９】
この発明は、かかる問題点を解消するためになされたものであり、欄干の移動手摺挿通口に配置された保護筒体が変位したときに、移動手摺と挿通口の隙間が閉塞される乗客コンベヤーの移動手摺装置を得ることを目的とする。
【００１０】
【課題を解決するための手段】
この発明に係る乗客コンベヤーの移動手摺装置においては、乗客コンベヤーの欄干基部の挿通口に進入する移動手摺と、欄干基部外に装備されて常時は上昇位置に保持され移動手摺の外面を囲んで配置され、移動手摺との間に入り込む異物によって下降位置に変位する保護筒体と、欄干基部に設けられて保護筒体の下降変位によって作動する検出器と、欄干基部内に設けられて移動手摺外面を囲んで配置されて移動手摺外面方向に付勢された閉塞体と、常時は閉塞体を付勢力に抗して移動手摺外面から離れた位置に保持する保持装置と、検出器の作動によって乗客コンベヤーの異常時停止を指令すると共に保持装置の保持作用の解除を指令し、閉塞体を移動手摺外面に接する位置に変位させる制御装置とが設けられる。
【００１１】
また、この発明に係る乗客コンベヤーの移動手摺装置においては、柔軟材料で製作され、かつ移動手摺外面との対向縁部が丸く面取りされた閉塞体が設けられる。
【００１２】
また、この発明に係る乗客コンベヤーの移動手摺装置においては、閉塞体に装着されて、保護筒体の欄干基部の挿通口との対向面に配置された軟質スポンジ状材料製の緩衝片が設けられる。
【００１３】
【発明の実施の形態】
実施の形態１．
図１〜図４は、この発明の実施の形態の一例を示す図で、図１は前述の図７相当図、図２は図１のＢ−Ｂ線断面図、図３は図１の保護筒体が変位した状態を示す図１相当図、図４は図３のＣ−Ｃ線断面図である。図において、１はエスカレーターからなる乗客コンベヤーの欄干、２は乗客コンベヤーの長手端部に形成された乗降口、３は欄干１の基部、４は基部３の端面、５は移動手摺で、欄干１の外周に沿って移動し欄干１基部３の端面４に設けられた挿通口６に進入する。
【００１４】
７はゴム等の粘弾性材料によって製作された保護筒体で、欄干１基部３の端面４に設けられて一側の長手端部が基部３外に突出して配置されて、他側の長手端部は挿通口６に嵌合して配置され常時は上昇位置に保持されて移動手摺５の外面を空隙を形成して移動手摺５を囲んで配置される。８は欄干１基部３内に配置された支持板で、上下方向の中間が欄干１基部３に軸９によって枢持されて上端側が保護筒体７の欄干１基部３内側の端面に装着されている。
【００１５】
１０は保持具で、保護筒体７の突出端側に配置されて、欄干１側に固定された固定片１１及び保護筒体７側に装着されて固定片１１にウーブンファスナー等により着脱自在に係合、すなわち係合された状態で所定以上の外力によって離脱する係合子１２によって構成されている。１３はスイッチからなる検出器であり、欄干１基部３内に装着されて作動部が支持板８の下端側と対面して配置されている。
【００１６】
１４は欄干１基部３内に装着されて検出器１３の反端面４側に配置された取付金具、１５はフレームで、取付金具１４の上面に締結されて支持板８と対面して配置され、図２において上方に開口し移動手摺５を空隙を形成して囲む凹部１６が設けられている。１７はブラケットで、欄干１基部３内に設けられてフレーム１５の凹部１６内に突出して配置され、下端に移動手摺５を案内する手摺レール１８が装着されている。
【００１７】
１９〜２１はそれぞれ閉塞体で、一側がフレーム１５の凹部１６の縁部端面に対面して配置され他側は移動手摺５の外面に対面して配置され、１９は中閉塞体、２０は右閉塞体、２１は左閉塞体であり、これらの三者が移動手摺５方向に変位した状態において移動手摺５の横断面における外周面を連続して塞ぐように配置されている。なお、図１に示すように閉塞体１９〜２１はフレーム１５の幅よりも幅広に製作されている。
【００１８】
２２は圧縮コイルばねからなる付勢体で、一端がフレーム１５の凹部１６の縁部端面に設けられた凹所に嵌合され他端によって閉塞体１９〜２１を移動手摺５方向に押圧する。２３は保持装置で、フレーム１５の凹部１６の縁部端面に設けられて閉塞体１９〜２１に対向して配置された電磁石機構によって構成され、付勢されて閉塞体１９〜２１を吸引し移動手摺５から離れた位置に閉塞体１９〜２１を保持する。２４は制御装置で、検出器１３、閉塞体１９〜２１が接続されている。
【００１９】
上記のように構成された乗客コンベヤーの移動手摺装置において、通常時は保持装置２３が付勢されて付勢体２２の付勢力に抗して閉塞体１９〜２１を吸引して移動手摺５から離れた位置に保持する。これによって、図２に示す状態で乗客コンベヤーが通常運転される。そして、乗客コンベヤーの乗降口２で遊んでいる幼児が悪戯して移動手摺５と保護筒体７に指を差し入れることがあり、このときに保持具１０の係合子１２が固定片１１から分離する。
【００２０】
このため、保護筒体７の突出端側が下降し支持板８が図１において時計方向に回動する。そして、図３に示す状態となり回動した支持板８によって検出器１３が押圧されて作動する。この検出器１３の作動によって制御装置２４が作動して乗客コンベヤーの異常時停止を指令し、乗客コンベヤーの運転が異常時制御されて停止する。
【００２１】
また、検出器１３の作動を介して制御装置２４が作動して保持装置２３の保持作用の解除を指令して保持装置２３が消勢される。これにより、付勢体２２の付勢力によって閉塞体１９〜２１が移動手摺５方向に押圧されて変位して、移動手摺５の外面に接する。このため、乗客コンベヤーの駆動機が消勢され後に乗客コンベヤーの踏段が２０〜３０ｃｍ移動する前に、移動手摺５の外周面に形成されていた隙間が閉塞体１９〜２１によって閉塞される。
【００２２】
したがって、移動手摺５と保護筒体７に指を差し入れた幼児が移動手摺５に触れたままでいるときに、移動手摺５に接する位置に変位した閉塞体１９〜２１に指が当たって、基部３端面４の挿通口６の奥深くに引き込まれて挟圧される不具合の発生を未然に防ぐことができる。
【００２３】
なお、閉塞体１９〜２１を軟質合成樹脂等の柔軟材料で製作することによって、基部３端面４の挿通口６に引き込まれた指が受ける衝突反力を少なくすることができる。また、閉塞体１９〜２１がフレーム１５の幅よりも幅広に製作されているので、基部３端面４の挿通口６に引き込まれた指が、フレーム１５よりも先に閉塞体１９〜２１に当たる。また、閉塞体１９〜２１の移動手摺５外面との対向縁部を丸く面取りする。これらによって、基部３端面４の挿通口６に引き込まれた指が受ける衝突反力を減少することができる。
【００２４】
実施の形態２．
図５は、この発明の他の実施の形態の一例を示す図で、前述の図１相当図である。図において、図１〜図４と同符号は相当部分を示し、２５は軟質ゴム等のスポンジ状材料からなる緩衝片で、閉塞体１９〜２１のそれぞれに装着されて支持板８との対向面、すなわち保護筒体７の欄干１基部３の挿通口６との対向面に配置されている。
【００２５】
上記のように構成された乗客コンベヤーの移動手摺装置においても、欄干１基部３の端面４に設けられた保護筒体７、保護筒体７の欄干１基部３内側の端面に装着された支持板８、支持板８に対向した検出器１３、支持板８と対面して配置されたフレーム１５、フレーム１５に設けられた閉塞体１９〜２１、閉塞体１９〜２１を移動手摺５方向へ付勢する付勢体２２、閉塞体１９〜２１を移動手摺５から離れた位置に保持する保持装置２３並びに検出器１３及び保持装置２３に接続された制御装置２４が設けられる。
【００２６】
したがって、詳細な説明を省略するが図５の実施の形態においても図１〜図４の実施の形態と同様な作用が得られる。また、閉塞体１９〜２１の支持板８との対向面に緩衝片２５が設けられている。このため、保護筒体７の突出端側が下降した後に、移動手摺５と保護筒体７に指を差し入れた幼児が移動手摺５に触れたままでいるときに指が緩衝片２５に当たる。これによって、基部３端面４の挿通口６に引き込まれた指が受ける衝突反力を一層少なくすることができる。
【００２７】
【発明の効果】
この発明は以上説明したように、乗客コンベヤーの欄干基部の挿通口に進入する移動手摺と、欄干基部外に装備されて常時は上昇位置に保持され移動手摺の外面を囲んで配置され、移動手摺との間に入り込む異物によって下降位置に変位する保護筒体と、欄干基部に設けられて保護筒体の下降変位によって作動する検出器と、欄干基部内に設けられて移動手摺外面を囲んで配置されて移動手摺外面方向に付勢された閉塞体と、常時は閉塞体を付勢力に抗して移動手摺外面から離れた位置に保持する保持装置と、検出器の作動によって乗客コンベヤーの異常時停止を指令すると共に保持装置の保持作用の解除を指令し、閉塞体を移動手摺外面に接する位置に変位させる制御装置とを設けたものである。
【００２８】
これによって、乗客コンベヤーの乗降口で遊んでいる幼児が悪戯して移動手摺と保護筒体に指を差し入れると保護筒体が下降位置に変位する。これにより、検出器が作動して制御装置が作動して乗客コンベヤーの異常時停止を指令し、乗客コンベヤーの運転が異常時制御されて停止する。また、制御装置の作動によって保持装置による保持が解消されて閉塞体が変位して移動手摺の外面に接する。このため、乗客コンベヤーの駆動機が消勢され後の慣性移動前に、移動手摺の外周面に形成されていた隙間が閉塞体によって閉塞される。したがって、移動手摺と保護筒体に指を差し入れた幼児が移動手摺に触れたままでいるときに、移動手摺に接して配置された閉塞体に指が当たって、欄干基部端面の挿通口の奥深くに引き込まれて挟圧される不具合の発生を未然に防ぐ効果がある。
【００２９】
また、この発明は以上説明したように、柔軟材料で製作され、かつ移動手摺外面との対向縁部が丸く面取りされた閉塞体を設けたものである。
【００３０】
これによって、乗客コンベヤーの乗降口で遊んでいる幼児が悪戯して移動手摺と保護筒体に指を差し入れると保護筒体が下降位置に変位する。これにより、検出器が作動して制御装置が作動して乗客コンベヤーの異常時停止を指令し、乗客コンベヤーの運転が異常時制御されて停止する。また、制御装置の作動によって保持装置による保持が解消されて閉塞体が変位して移動手摺の外面に接する。このため、乗客コンベヤーの駆動機が消勢され後の慣性移動前に、移動手摺の外周面に形成されていた隙間が閉塞体によって閉塞される。したがって、移動手摺と保護筒体に指を差し入れた幼児が移動手摺に触れたままでいるときに、移動手摺に接して配置された閉塞体に指が当たって、欄干基部端面の挿通口の奥深くに引き込まれて挟圧される不具合の発生を未然に防ぐ効果がある。また、閉塞体が柔軟材料で製作され、かつ移動手摺外面との対向縁部が丸く面取りされる。このため、欄干基部端面の挿通口に引き込まれた指が受ける衝突反力を減少する効果がある。
【００３１】
また、この発明は以上説明したように、閉塞体に装着されて、保護筒体の欄干基部の挿通口との対向面に配置された軟質スポンジ状材料製の緩衝片を設けたものである。
【００３２】
これによって、乗客コンベヤーの乗降口で遊んでいる幼児が悪戯して移動手摺と保護筒体に指を差し入れると保護筒体が下降位置に変位する。これにより、検出器が作動して制御装置が作動して乗客コンベヤーの異常時停止を指令し、乗客コンベヤーの運転が異常時制御されて停止する。また、制御装置の作動によって保持装置による保持が解消されて閉塞体が変位して移動手摺の外面に接する。このため、乗客コンベヤーの駆動機が消勢され後の慣性移動前に、移動手摺の外周面に形成されていた隙間が閉塞体によって閉塞される。したがって、移動手摺と保護筒体に指を差し入れた幼児が移動手摺に触れたままでいるときに、移動手摺に接して配置された閉塞体に指が当たって、欄干基部端面の挿通口の奥深くに引き込まれて挟圧される不具合の発生を未然に防ぐ効果がある。また、閉塞体の保護筒体の欄干基部の挿通口との対向面に軟質スポンジ状材料製の緩衝片が設けられので、欄干基部端面の挿通口に引き込まれた指が受ける衝突反力を一層減少する効果がある。
【図面の簡単な説明】
【図１】この発明の実施の形態１を示す図で、後述する図７相当図。
【図２】図１のＢ−Ｂ線断面図。
【図３】図１の保護筒体が変位した状態を示す図１相当図。
【図４】図３のＣ−Ｃ線断面図。
【図５】この発明の実施の形態２を示す図で、図１相当図。
【図６】従来の乗客コンベヤーの移動手摺装置を示す図で、乗客コンベヤーの乗降口を概念的に示す側面図。
【図７】図６のＡ部を拡大して示す縦断面図。
【符号の説明】
１　欄干、　　３　基部、　　５　移動手摺、　　６　挿通口、　　７　保護筒体、　　１３　検出器、　　１９　中閉塞体（閉塞体）、　　２０　右閉塞体（閉塞体）、　　２１　左閉塞体（閉塞体）、　　２３　保持装置、　　２４　制御装置、　　２５　緩衝片。
【図１】
2004010244.tif 000003
【図２】
2004010244.tif 000004
【図３】
2004010244.tif 000005
【図４】
2004010244.tif 000006
【図５】
2004010244.tif 000007
【図６】
2004010244.tif 000008
【図７】
2004010244.tif 000009